(57)【要約】【課題】ネイルデザインをできるだけイメージ通りに爪にフィッティングさせて描画することのできる描画装置及び描画方法を提供する。【解決手段】描画対象である爪Ｔの縦横比を取得する爪情報検出部８１２と、爪Ｔの領域に描画するネイルデザインＤを変形させてネイルデザインＤを爪Ｔの領域にフィッティングさせるデザインフィッティング部８１３とを備え、デザインフィッティング部８１３は、フィッティングの手法として、爪Ｔの縦横比に応じてネイルデザインＤの縦方向及び横方向の一方を圧縮又は伸張する第１のフィッティングモードと、ネイルデザインＤの縦横比を変えずにネイルデザインＤを伸張又は圧縮する第２のフィッティングモードと、を有している。【選択図】図２
2018153525.tif 000002
【特許請求の範囲】
【請求項１】
描画対象である爪の領域の縦横比を取得する爪情報検出部と、
前記爪の領域の縦横比に応じてネイルデザインの縦横比を変えて前記ネイルデザインを前記爪の領域にフィッティングさせる第１のフィッティングモードを有し、前記第１のフィッティングモードにおいて、前記ネイルデザインの前記縦横比の変化率を、前記ネイルデザインに対して設定されている限界変化率を越えない範囲の値にするデザインフィッティング部と、
を備えることを特徴とする描画装置。
【請求項２】
前記デザインフィッティング部は、
前記第１のフィッティングモードにおいて、前記ネイルデザインを、前記ネイルデザインの縦横比を前記爪の縦横比に合わせるように変化させて、前記ネイルデザインの縦方向の長さが前記爪の領域の縦方向の長さに一致し、前記ネイルデザインの横方向の長さが前記爪の領域の横方向の長さに一致するように変形させた後、前記ネイルデザインの縦方向及び横方向の前記一方を、前記変化率が前記限界変化率を越えない範囲の値となるように圧縮又は伸張することを特徴とする請求項１に記載の描画装置。
【請求項３】
前記デザインフィッティング部は、
前記ネイルデザインの縦横比を変えずに前記ネイルデザインの大きさを変化させる第２のフィッティングモードを有し、
前記第２のフィッティングモードにより、前記ネイルデザインを、前記爪の領域の縦横比に応じて、前記ネイルデザインの縦方向及び横方向の他方の長さが前記爪の領域の縦方向及び横方向の他方の長さに一致するように変形させた後、前記第１のフィッティングモードにより、前記ネイルデザインの縦方向及び横方向の前記一方を、前記変化率が前記限界変化率を越えない範囲の値で圧縮又は伸張することを特徴とする請求項１に記載の描画装置。
【請求項４】
描画対象である爪の領域の縦横比を取得する爪領域取得ステップと、
前記爪の領域の縦横比に応じてネイルデザインの縦横比を変えて前記ネイルデザインを前記爪の領域にフィッティングさせる第１のフィッティングモードを有し、前記第１のフィッティングステップにおいて、前記ネイルデザインの前記縦横比の変化率を、前記ネイルデザインに対して設定されている限界変化率を越えない範囲の値にするデザインフィッティングステップと、
を含むことを特徴とする描画方法。
【請求項５】
前記デザインフィッティングステップは、
前記第１のフィッティングモードにおいて、
前記ネイルデザインを、前記ネイルデザインの縦横比を前記爪の縦横比に合わせるように変化させて、前記ネイルデザインの縦方向の長さが前記爪の領域の縦方向の長さに一致し、前記ネイルデザインの横方向の長さが前記爪の領域の横方向の長さに一致するように変形させる第１変形ステップと、
前記第１変形ステップを実行した後に、前記ネイルデザインの縦方向及び横方向の前記一方を、前記変化率が前記限界変化率を越えない範囲の値となるように圧縮又は伸張する第２変形ステップと、
を含むことを特徴とする請求項４に記載の描画方法。
【請求項６】
前記デザインフィッティングステップにおける前記フィッティングは、前記ネイルデザインの縦横比を変えずに前記ネイルデザインの大きさを変形させる第２のフィッティングモードを有し、
前記デザインフィッティングステップは、
前記第２のフィッティングモードにより、前記ネイルデザインを、前記爪の領域の縦横比に応じて、前記ネイルデザインの縦方向及び横方向の他方の長さが前記爪の領域の縦方向及び横方向の他方の長さに一致するように変形させる第３変形ステップと、
前記第３変形ステップを実行した後に、前記第１のフィッティングモードにより、前記ネイルデザインの縦方向及び横方向の前記一方を、前記変化率が前記限界変化率を越えない範囲の値で圧縮又は伸張する第４変形ステップと、
を含むことを特徴とする請求項４に記載の描画方法。
【発明の詳細な説明】
【技術分野】
【０００１】
本発明は、描画装置及び描画方法に関するものである。
【背景技術】
【０００２】
従来、人の指の爪に好みのネイルデザインを描画する描画装置（これを「ネイルプリント装置」という。）が知られている（例えば、特許文献１参照）。
このような装置を用いれば、ネイルサロン等を利用することなく、手軽にネイルプリントを楽しむことができる。
【０００３】
爪にネイルデザインを描画するためには、爪の形状を認識し、これにネイルデザインをフィッティングする必要があり、例えばネイルデザインを爪の外周に接する矩形状の外接枠のサイズまで圧縮して合せ込む手法がとられている。
ネイルデザインのもともとの縦横比と爪の縦横比とがほぼ同等であればおおよそイメージ通りにネイルデザインを爪にフィッティングすることができる。
【先行技術文献】
【特許文献】
【０００４】
【特許文献１】特表２００３−５３４０８３号公報
【発明の概要】
【発明が解決しようとする課題】
【０００５】
しかしながら、爪の形状は様々であり、ネイルデザインのもともとの縦横比と比べて、爪が横方向の長さに対して縦方向が長い形状である場合には、ネイルデザインを爪にフィッティングすると、デザインが全体に縦方向にいびつに引き延ばされたようになり、不自然な仕上がりになってしまう。
また、逆にネイルデザインのもともとの縦横比と比べて、爪が縦方向の長さに対して横方向が長い形状である場合には、デザインが全体に横方向に押し潰されたような状態となり、もともとのネイルデザインの印象とは異なるものになってしまう。
【０００６】
ネイルデザインを爪にフィッティングする手法としては、この他、ネイルデザインのもともとの縦横比を変えずに、爪にフィッティングさせることも考えられる。
しかしこの手法の場合、爪が縦方向又は横方向に極端に短い形状である場合には、爪の長さの短い側にネイルデザインが大きくはみ出してしまい、デザイン全体が上手く爪上に収まらない可能性がある。
【０００７】
本発明は以上のような事情に鑑みてなされたものであり、ネイルデザインをできるだけイメージ通りに爪にフィッティングさせて描画することのできる描画装置及び描画方法を提供することを目的とするものである。
【課題を解決するための手段】
【０００８】
前記課題を解決するために、本発明の描画装置は、
描画対象である爪の領域の縦横比を取得する爪情報検出部と、
前記爪の領域の縦横比に応じてネイルデザインの縦横比を変えて前記ネイルデザインを前記爪の領域にフィッティングさせる第１のフィッティングモードを有し、前記第１のフィッティングモードにおいて、前記ネイルデザインの前記縦横比の変化率を、前記ネイルデザインに対して設定されている限界変化率を越えない範囲の値にするデザインフィッティング部と、
を備えることを特徴としている。
【発明の効果】
【０００９】
本発明によれば、ネイルデザインをできるだけイメージ通りに爪にフィッティングさせて描画することができる。
【図面の簡単な説明】
【００１０】
【図１】（ａ）は、本実施形態における描画装置の正面図であり、（ｂ）は、（ａ）に示された描画装置の内部構成を示す側面図で伸張ある。
【図２】本実施形態に係る描画装置の制御構成を示した要部ブロック図である。
【図３】ネイルデザインの一例を示す平面図である。
【図４】爪の一例を示す平面図である。
【図５】本実施形態におけるフィッティング処理を示すフローチャートである。
【図６】（ａ）から（ｃ）は、図５のフィッティング処理を模式的に示す説明図である。
【図７】本実施形態におけるフィッティング処理を示すフローチャートである。
【図８】（ａ）から（ｃ）は、図７のフィッティング処理を模式的に示す説明図である。
【発明を実施するための形態】
【００１１】
図１から図８（ａ）〜図８（ｃ）を参照しつつ、本発明に係るネイルプリント装置（描画装置）及びネイルプリント装置（描画装置）の描画方法の一実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、ネイルプリント装置１は手の指の爪の表面を描画対象面として、これに描画するものとして説明するが、本発明の描画対象面は手の指の爪の表面に限るものではなく、例えば足の指の爪の表面を描画対象面としてもよい。
【００１２】
図１（ａ）は、ネイルプリント装置の内部構成を示すネイルプリント装置の正面図であり、図１（ｂ）は、図１（ａ）に示されたネイルプリント装置の内部構成を示す側面図である。
図１（ａ）及び図１（ｂ）に示すように、本実施形態におけるネイルプリント装置１は、描画部４０が描画用具である描画ヘッド４１を備え、インクジェット方式にて印刷指Ｕ１の爪Ｔに描画を施す描画装置である。
このネイルプリント装置１は、ケース本体２と、このケース本体２に収容される装置本体１０とを備えている。
【００１３】
ケース本体２の側面上部一端には、後述する描画部４０の描画ヘッド４１を交換するために開閉可能に構成された蓋部２３が設けられている。蓋部２３は、例えばヒンジ等を介して、図１に示すように閉状態から開状態まで回動自在となっている。
【００１４】
ケース本体２の上面（天板）には操作部２５（図２参照）が設置されている。
操作部２５は、ユーザが各種入力を行う入力部である。
操作部２５には、例えば、ネイルプリント装置１の電源をＯＮする電源スイッチ釦、動作を停止させる停止スイッチ釦、爪Ｔに描画するデザイン画像を選択するデザイン選択釦、描画開始を指示する描画開始釦等、各種の入力を行うための図示しない操作釦が配置されている。
【００１５】
また、ケース本体２の上面（天板）のほぼ中央部には表示部２６が設置されている。
表示部２６は、例えば液晶ディスプレイ（ＬＣＤ：Liquid Crystal Display）、有機エレクトロルミネッセンスディスプレイその他のフラットディスプレイ等で構成されている。
本実施形態において、この表示部２６には、例えば、印刷指Ｕ１を撮影して得た爪画像（爪Ｔの画像を含む印刷指Ｕ１の画像）、この爪画像中に含まれる爪Ｔの輪郭等の画像、爪Ｔに描画すべきデザイン画像を選択するためのデザイン選択画面、デザイン確認用のサムネイル画像、各種の指示を表示させる指示画面等が適宜表示される。
なお、表示部２６の表面に各種の入力を行うためのタッチパネルが一体的に構成されていてもよい。
【００１６】
装置本体１０は、ほぼ箱状に形成され、ケース本体２の内部下方に設置された下部機枠１１と、この下部機枠１１の上方で且つケース本体２の内部上方に設置されている上部機枠１２とを備えている。
【００１７】
まず、下部機枠１１について説明する。
下部機枠１１は、背面板１１１、底板１１２、左右一対の側板１１３ａ，１１３ｂ、Ｘ方向移動ステージ収容部１１４、Ｙ方向移動ステージ収容部１１５及び隔壁１１６を有する。
側板１１３ａ，１１３ｂの下端部は、底板１１２の左右両端部にそれぞれ連結され、側板１１３ａ，１１３ｂが底板１１２に対して立てられた状態に設けられている。
背面板１１１の下部は、前方（指挿入方向手前側）に向かって２段に窪むように形成されている。背面板１１１の下端部は底板１１２の前端部に連結されており、背面板１１１は、底板１１２と側板１１３ａ，１１３ｂによって囲われた領域を前後に区切っている。
この窪んだ背面板１１１の後ろ側に形成される空間がＸ方向移動ステージ収容部１１４、Ｙ方向移動ステージ収容部１１５（図１（ｂ）参照）となっている。Ｘ方向移動ステージ収容部１１４内には、描画部４０が前方（指挿入方向手前側）に移動した際に描画部４０のＸ方向移動ステージ４５が収容される。また、Ｙ方向移動ステージ収容部１１５内には、描画部４０のＹ方向移動ステージ４７が配置されている。
また、隔壁１１６は、下部機枠１１の内部前方側の空間（背面板１１１、底板１１２及び側板１１３ａ，１１３ｂによって囲われた指挿入方向手前側の空間）を上下に区切るように下部機枠１１の内側に設けられている。隔壁１１６はほぼ水平に設けられ、隔壁１１６の左右両端部が側板１１３ａ，１１３ｂにそれぞれ連結され、隔壁１１６の後端部が背面板１１１に連結されている。
【００１８】
この下部機枠１１には、指固定部３０（図１（ｂ）参照）が一体的に設けられている。
指固定部３０は、描画を施す爪Ｔに対応する指（以下、これを「印刷指Ｕ１」という。）を受け入れる指受入部３１と、この印刷指Ｕ１以外の指（以下、これを「非印刷指Ｕ２」という。）を退避させる指退避部３２と、から構成されている。
指受入部３１は、隔壁１１６の上側であって下部機枠１１の幅方向のほぼ中央部に配置されている。また、隔壁１１６によって下部機枠１１の下側に区分けられた空間が指退避部３２を構成している。
例えば、薬指の爪Ｔに描画を施す場合には、指受入部３１に印刷指Ｕ１としての薬指を挿入し、非印刷指Ｕ２であるその他の４指（親指、人差し指、中指、小指）を指退避部３２に挿入する。
【００１９】
図１（ａ）及び図１（ｂ）に示すように、指受入部３１は、下部機枠１１の前面側（印刷指挿入方向の手前側）に開口しており、下側が隔壁１１６の一部を構成する指載置部１１６ａによって区画されている。指載置部１１６ａは、描画を施す爪Ｔの指（印刷指Ｕ１）をＸＹ平面上に載置するものである。
また、指受入部３１の上側には、指受入部３１に挿入された印刷指Ｕ１の爪Ｔを露出させるための図示しない窓部が形成されている。
また、隔壁１１６の上面であって下部機枠１１の前面側の両側部には、下部機枠１１の前面側を塞ぐ前壁３１ｆ（図１（ａ）参照）が立設されている。また、隔壁１１６の上面には、この前壁３１ｆの中央部寄りの端部から前記指受入部３１に向けて狭窄し、印刷指Ｕ１を指受入部３１内に案内する一対のガイド壁３１ｇ（図１（ａ）参照）が立設されている。
ユーザは指受入部３１に挿入した印刷指Ｕ１と指退避部３２に挿入した非印刷指Ｕ２との間に隔壁１１６を挟むことができる。そのため、指受入部３１内に挿入された印刷指Ｕ１が安定して固定される。
【００２０】
下部機枠１１の上面であって、指受入部３１の横（本実施形態では、図１（ａ）において右側）には、後述する描画ヘッド４１の移動可能範囲内に、非描画時に、描画ヘッド４１が待機するホームエリア６０が設けられている。
ホームエリア６０には、例えば後述する描画ヘッド４１のインク吐出部（ノズル面）をクリーニングするためのクリーニング機構やインク吐出部（ノズル面）の保湿状態を保つためのキャップ機構等（いずれも図示せず）で構成されるインクジェット保守部が、非描画時に描画ヘッド４１が配置される位置に対応して設けられている。
なお、ホームエリア内のインクジェット保守部等の配置はここで例示したものに限定されない。
【００２１】
描画部４０は、描画ヘッド４１、描画ヘッド４１を支持するユニット支持部材４４、描画ヘッド４１をＸ方向（図１（ａ）におけるＸ方向、描画装置１の左右方向）に移動させるためのＸ方向移動ステージ４５、Ｘ方向移動モータ４６、描画ヘッド４１をＹ方向（図１（ｂ）におけるＹ方向、描画装置１の前後方向）に移動させるためのＹ方向移動ステージ４７、Ｙ方向移動モータ４８等を備えて構成されている。
【００２２】
本実施形態において描画ヘッド４１は、ヘッドホルダ４３に保持されてユニット支持部材４４に設けられている。
描画ヘッド４１は、例えば、イエロー（Ｙ；YELLOW）、マゼンタ（Ｍ；MAGENTA）、シアン（Ｃ；CYAN）のインクに対応する図示しないインクカートリッジと各インクカートリッジにおける描画対象（爪Ｔ）に対向する面（本実施形態では、図１（ａ）等における下面）に設けられた図示しないインク吐出部とが一体に形成されたインクカートリッジ一体型のヘッドである。インク吐出部は、それぞれの色のインクを噴射する複数のノズルからなるノズルアレイを備えており、描画ヘッド４１は、インクを微滴化し、インク吐出部から描画対象（爪Ｔ）の被描画面に対して直接にインクを吹き付けて描画を行う。
なお、描画ヘッド４１は、上記３色のインクを吐出させるものに限定されない。その他のインクを貯留するインクカートリッジ及びインク吐出部を備えていてもよい。
【００２３】
また、ユニット支持部材４４は、Ｘ方向移動ステージ４５に取り付けられたＸ方向移動部４５１に固定されている。Ｘ方向移動部４５１は、Ｘ方向移動モータ４６の駆動によりＸ方向移動ステージ４５上を図示しないガイドに沿ってＸ方向に移動するようになっており、これにより、ユニット支持部材４４に取り付けられている描画ヘッド４１が、Ｘ方向（図１（ａ）におけるＸ方向、ネイルプリント装置１の左右方向）に移動するようになっている。
また、Ｘ方向移動ステージ４５は、Ｙ方向移動ステージ４７のＹ方向移動部４７１に固定されている。Ｙ方向移動部４７１は、Ｙ方向移動モータ４８の駆動によりＹ方向移動ステージ４７上を図示しないガイドに沿ってＹ方向に移動するようになっており、これにより、ユニット支持部材４４に取り付けられている描画ヘッド４１が、Ｙ方向（図１（ｂ）におけるＹ方向、ネイルプリント装置１の前後方向）に移動するようになっている。
なお、本実施形態において、Ｘ方向移動ステージ４５及びＹ方向移動ステージ４７は、Ｘ方向移動モータ４６、Ｙ方向移動モータ４８と、図示しないボールネジ及びガイドとを組み合わせることで構成されている。
本実施形態では、Ｘ方向移動モータ４６及びＹ方向移動モータ４８等により、描画ヘッド４１をＸ方向及びＹ方向に駆動するＸＹ駆動部としてのヘッド移動部４９が構成されている。
【００２４】
描画部４０における描画ヘッド４１、Ｘ方向移動モータ４６、Ｙ方向移動モータ４８は、後述する制御装置８０の描画制御部８１５（図２参照）に接続され、該描画制御部８１５によって制御されるようになっている。
【００２５】
また、撮影部５０は、撮像装置５１と、照明装置５２とを備えている。
この撮影部５０は、指受入部３１内に挿入されて窓部から見える爪Ｔ（爪Ｔを含む印刷指Ｕ１）を照明装置５２によって照明する。そして、撮像装置５１によってその印刷指Ｕ１を撮影して、印刷指Ｕ１の画像である爪画像（爪Ｔの爪画像を含む指の画像）を得るものである。
図１（ａ）及び図１（ｂ）に示すように、本実施形態において、撮像装置５１及び照明装置５２は、上部機枠１２に設けられている。
すなわち、上部機枠１２には基板１３が設置されており、撮影部５０を構成する撮像装置５１及び照明装置５２は、この基板１３の下面に、隔壁１１６に対向するように設けられている。
なお、基板１３に取り付けられている撮像装置５１及び照明装置５２の位置は図示例に限定されない。
【００２６】
撮像装置５１は、例えば、２００万画素程度以上の画素を有する固体撮像素子とレンズ等を備えて構成された小型撮像装置である。
本実施形態では、撮影部５０の撮像装置５１によって、爪Ｔを含む印刷指Ｕ１を撮影して爪画像が取得される。
後述する爪情報検出部８１２は、この爪画像を用いて印刷指Ｕ１及び描画対象である爪Ｔの位置や形状（爪Ｔの輪郭）、爪Ｔの縦横比等を検出するようになっている。
【００２７】
照明装置５２は、例えば白色ＬＥＤ等の照明装置である。
本実施形態では、撮像装置５１の両側、手前側及び奥側に撮像装置５１を囲むように４つの照明装置５２が配置されている。照明装置５２は、下方に向けて光を照射して、撮像装置５１の下方の撮影範囲を照明する。
なお、照明装置５２を設ける数や、その配置等は図示例に限定されない。
【００２８】
この撮影部５０は、後述する制御装置８０の撮影制御部８１１（図２参照）に接続され、該撮影制御部８１１によって制御されるようになっている。
なお、撮影部５０によって撮影された画像（すなわち、爪画像）の画像データは、後述する記憶部８２の爪画像記憶領域８２１に記憶される。
【００２９】
制御装置８０は、例えば上部機枠１２に配置された基板１３等に設置されている。
図２は、本実施形態における制御構成を示す要部ブロック図である。
制御装置８０は、図２に示すように、図示しないＣＰＵ（Central Processing Unit）により構成される制御部８１と、ＲＯＭ（Read Only Memory）及びＲＡＭ（Random Access Memory）等（いずれも図示せず）で構成される記憶部８２とを備えるコンピュータである。
【００３０】
記憶部８２には、ネイルプリント装置１を動作させるための各種プログラムや各種データ等が格納されている。
具体的には、記憶部８２のＲＯＭには、印刷指Ｕ１の位置や形状（輪郭）、爪Ｔの位置や形状（輪郭）、爪Ｔの縦横比等の検出を行うための爪情報検出プログラム、ネイルデザインＤを爪Ｔにフィッティングさせるためのデザインフィッティングプログラム、描画データを生成するための描画データ生成プログラム、描画処理を行うための描画プログラム等の各種プログラムが格納されており、これらのプログラムが制御装置８０によって実行されることによって、ネイルプリント装置１の各部が統括制御されるようになっている。
また、本実施形態において記憶部８２には、撮影部５０によって取得されたユーザの印刷指Ｕ１の爪Ｔの爪画像を記憶する爪画像記憶領域８２１、爪情報検出部８１２によって検出された爪情報（印刷指Ｕ１の輪郭や爪Ｔの輪郭、爪Ｔの縦横比等）が記憶される爪情報記憶領域８２２、及び描画対象である爪Ｔに描画されるネイルデザインＤの画像データ（これを単に「デザインデータ」ともいう。）を記憶するネイルデザイン記憶領域８２３が設けられている。
【００３１】
ネイルデザイン記憶領域８２３に記憶されているデザインデータは、例えば一般的・平均的な形状（縦横比）を有する爪（これを「モデル爪ＭＴ」とする。図３参照）の外周に接する矩形状の外接枠（図３において実線で示す枠）を想定し、この外接枠の横方向（すなわち、爪幅方向）の長さを横長さｗｄ、縦方向（すなわち、爪幅方向に直交するモデル爪ＭＴの延在方向）の長さを縦長さｈｄ（いずれも図３参照）とする場合に、縦長さｈｄ／横長さｗｄと同じ縦横比を有するように設定されたネイルデザインＤの画像データである。デザインデータには、ネイルデザインＤの縦長さｈｄ、横長さｗｄや縦横比（ｈｄ／ｗｄ）の情報が付帯されている。
なお、全てのデザインデータが同じモデル爪ＭＴを想定して用意されている場合は、ネイルデザインＤの縦長さｈｄ、横長さｗｄや縦横比（ｈｄ／ｗｄ）の情報はデフォルト値が１つ記憶されていればよく、個々のデザインデータにこれらの情報が付帯されている必要はない。
【００３２】
また、本実施形態において、デザインデータには、それぞれ当該ネイルデザインＤの縦方向及び横方向のそれぞれについて変化させることのできる限界を規定する限界変化率（後述の図５及び図７において「限界圧縮率α」）が予め設定されており、各デザインデータは、この限界変化率の情報が付帯された状態で記憶されている。
限界変化率は、当該ネイルデザインＤを縦方向や横方向に圧縮又は伸張した場合にデザイン全体の印象が変化したりバランスが崩れたりしない限界を示すものである。形状変化を認識しにくい限界変化率を予め定めて、ネイルデザインＤの形状を変化（すなわち、一方向への圧縮・伸張）させる場合に、この限界変化率を超えて変化させないようにすることにより、ユーザのイメージ通りのデザイン形状を適切に爪Ｔに反映させることができる。
限界変化率は、各ネイルデザインＤごとに異なり、縦方向又は横方向のいずれか一方を圧縮又は伸張してもデザイン全体の印象が変化しにくいものであれば、限界変化率は比較的高く設定される。逆に、少しでもネイルデザインＤの縦方向又は横方向のいずれか一方を圧縮又は伸張すると、大きく印象が変わり、全体のバランスが悪くなるようなものであれば限界変化率は低くなり、デザインによっては限りなくゼロに近くなる。
【００３３】
例えば、フレンチネイルのように爪先にラインが入っているのみのデザインや、全体が複数色のグラデーションとなっているのみのデザイン等であれば縦方向又は横方向のいずれか一方を圧縮又は伸張してもデザイン全体の印象が変化しにくい。このため、このようなネイルデザインＤについては限界変化率は比較的高く設定され、例えば、元の状態の７０％までは圧縮してもよいという場合には、限界変化率は７０％となる。
また、例えば、キャラクタの顔等がデザインされているようなものであれば、縦方向又は横方向のいずれか一方を圧縮又は伸張するとデザイン全体の印象が変化しやすく、全体のバランスも崩れやすい。このため、このようなネイルデザインＤについては限界変化率は比較的低く設定され、例えば、９５％以上圧縮すると印象が変化する場合には、限界変化率は９５％となる。
【００３４】
なお、限界変化率はデフォルトで決められていてもよいし、ユーザ等が設定や修正を行うことができるようにしてもよい。また、限界変化率は、個々のネイルデザインＤごとに設定されていてもよいし、例えば、圧縮伸張による印象の変化のしやすさ等に応じてネイルデザインＤをいくつかのグループに分け、各グループごとに限界変化率が設定されていてもよい。
また、１つのネイルデザインＤについての限界変化率は、縦方向の限界変化率と横方向の限界変化率とを別々に持ってもよいし、一つの値を共有してもよい。
縦方向と横方向とで異なる限界変化率を持つ場合、例えば縦方向に圧縮又は伸張してもさほど印象は変わらないが、横方向に圧縮又は伸張すると大きく印象が変わってしまうようなデザインの場合には、縦方向の限界変化率は比較的高く設定され、横方向の限界変化率は比較的低く設定される。
【００３５】
制御部８１は、機能的に見た場合、撮影制御部８１１、爪情報検出部８１２、デザインフィッティング部８１３、描画データ生成部８１４、描画制御部８１５、表示制御部８１６等を備えている。これら撮影制御部８１１、爪情報検出部８１２、デザインフィッティング部８１３、描画データ生成部８１４、描画制御部８１５、表示制御部８１６等としての機能は、制御部８１のＣＰＵと記憶部８２のＲＯＭに記憶されたプログラムとの共働によって実現される。
【００３６】
撮影制御部８１１は、撮影部５０の撮像装置５１及び照明装置５２を制御して撮像装置５１により、指受入部３１に挿入された印刷指Ｕ１の画像（爪Ｔの画像を含む印刷指Ｕ１の画像、以下「爪画像」という。）を撮影させるものである。
撮影部５０により取得された爪画像の画像データは、記憶部８２の爪画像記憶領域８２１に記憶される。
【００３７】
爪情報検出部８１２は、撮影部５０の撮像装置５１によって取得された爪Ｔを含む印刷指Ｕ１の画像である爪画像から、印刷指Ｕ１の領域を画する指の輪郭や、描画対象である爪Ｔの領域を画する爪Ｔの輪郭（爪形状）、爪Ｔの縦横比等を検出する。
ここで爪Ｔの縦横比とは、例えば、爪Ｔの外周に接する矩形状の外接枠（図４において破線で示す枠）を想定した場合に、この外接枠の爪幅方向の長さを横長さｗ、爪幅方向に直交する爪Ｔの延在方向の長さを縦長さｈ（いずれも図４参照）とし、この横長さｗと縦長さｈとの比率（ｈ／ｗ）である。
爪情報検出部８１２による爪情報の検出手法は、例えば、印刷指Ｕ１や爪Ｔと背景（本実施形態では、指載置部１１６ａ）との色の差を印刷指Ｕ１や爪Ｔの形状（輪郭）を検出する。また、爪Ｔと印刷指Ｕ１との色の差や陰影の付き方等から爪Ｔと印刷指Ｕ１の皮膚との境界を検出し、爪Ｔの形状（輪郭）を取得する。なお、爪情報検出部８１２による爪情報の検出手法は、ここで例示したものに限定されず、各種の手法を用いることが可能である。
なお、以下においては、爪情報検出部８１２が、撮影部５０により取得された爪画像から印刷指Ｕ１や爪Ｔの輪郭、爪Ｔの縦横比等を爪情報として検出する場合について説明するが、爪画像から検出される爪情報はこれに限定されず、例えば爪Ｔの曲率等も爪画像に基づいて検出されてもよい。
【００３８】
デザインフィッティング部８１３は、爪Ｔに描画するネイルデザインＤのデザインデータを変形させてネイルデザインＤを爪Ｔにフィッティングさせるものである。
本実施形態において、デザインフィッティング部８１３は、フィッティングの手法として、爪Ｔの縦横比に応じてネイルデザインＤの縦横比を変えるようにデザインデータの縦方向又は横方向を圧縮又は伸張する第１のフィッティングモードと、ネイルデザインＤの縦横比を変えずにデザインデータを伸張又は圧縮する第２のフィッティングモードとを有している。
デザインフィッティング部８１３は、この第１のフィッティングモードと、第２のフィッティングモードとを併用して、爪Ｔに描画するネイルデザインＤのデザインデータを変形させてネイルデザインＤを爪Ｔにフィッティングさせる。
なお、本実施形態では、前述のように各ネイルデザインＤごとに限界変化率が設定されており、デザインフィッティング部８１３は、この限界変化率を超えない範囲内でデザインデータＤを圧縮又は伸張する。
本実施形態では、デザインデータの縦長さｈｄ、横長さｗｄが一般的な爪Ｔの縦長さｈ、横長さｗよりも大きい場合を想定しており、デザインフィッティング部８１３がデザインデータを変形させてネイルデザインＤを爪Ｔにフィッティングさせる際には、デザインデータを圧縮させて合せ込んでいく場合を想定しており、限界変化率は、デザインデータを圧縮してもネイルデザインＤの印象が大きく変化しない限界である限界圧縮率である。
なお、デザインデータの縦長さｈｄ、横長さｗｄが一般的な爪Ｔの縦長さｈ、横長さｗよりも小さい場合には、デザインフィッティング部８１３はデザインデータを伸張することでネイルデザインＤを爪Ｔにフィッティングさせる。この場合には、限界変化率は、デザインデータを伸張してもネイルデザインＤの印象が大きく変化しない限界である限界伸張率となる。
【００３９】
デザインフィッティング部８１３により行われるフィッティングとしては、まず第２のフィッティングモードによるフィッティングを行った後、第１のフィッティングモードにより修正を加えていく手法と、まず第１のフィッティングモードによるフィッティングを行った後、第２のフィッティングモードにより修正を加えていく手法とがある。
いずれの手法でフィッティングを行うかはデフォルトで設定されていてもよいし、ユーザが選択してもよい。また、爪情報検出部８１２による検出結果から、いずれの手法を優先して行うかをデザインフィッティング部８１３において判断するようにしてもよい。
なお、各手法の詳細については後述する。
【００４０】
描画データ生成部８１４は、デザインフィッティング部８１３によるフィッティングの結果に基づいて、描画ヘッド４１により印刷指Ｕ１の爪Ｔに施される描画用のデータを生成する。
本実施形態では、描画データ生成部８１４は、デザインフィッティング部８１３により爪Ｔに合うように伸張又は圧縮されたデザインデータについて適宜曲面補正等を行い、描画ヘッド４１によって描画されるネイルデザインＤの描画用の画像データを生成する。
【００４１】
描画制御部８１５は、描画データ生成部８１４によって生成された描画データに基づいて描画部４０に制御信号を出力し、爪Ｔに対してこの描画データにしたがった描画を施すように描画部４０のＸ方向移動モータ４６、Ｙ方向移動モータ４８、描画ヘッド４１等を制御する制御部である。
【００４２】
表示制御部８１６は、表示部２６を制御して表示部２６に各種の表示画面を表示させるものである。本実施形態では、表示制御部８１６は、例えばネイルデザインＤの選択画面やデザイン確認用のサムネイル画像、ネイルデザインＤをフィッティングした爪Ｔのイメージ画像、印刷指Ｕ１を撮影して取得した爪画像、各種の指示画面、操作画面等を表示部２６に表示させるようになっている。
【００４３】
次に、図３から図８を参照しつつ、本実施形態におけるネイルプリント装置１による描画方法について説明する。
図３は、ネイルデザインＤの一例であり、図４は、描画対象であるユーザの爪Ｔの一例である。
図３に示すように、ネイルデザインＤは、モデル爪ＭＴの外周に接する矩形状の外接枠（図３において実線で示す枠）の縦長さｈｄ／横長さｗｄと同じ縦横比を有するように設定されている。図３ではネイルデザインＤの中心を中心点Ｄｃとして示している。
また、図４に示す爪Ｔは、図３に示すモデル爪ＭＴよりも横長であり、図４では、爪Ｔの外周に接する矩形状の外接枠（図４において破線で示す枠）の縦長さｈ、横長さｗを爪Ｔの縦長さｈ、横長さｗとしている。図４では爪Ｔの中心を中心点Ｔｃとして示している。
【００４４】
図５は、まず第２のフィッティングモードによるフィッティングを行った後、第１のフィッティングモードにより修正を加えていく手法によって図３に示すネイルデザインＤを図４に示す爪Ｔにフィッティングする処理を示すフローチャートであり、図６（ａ）から図６（ｃ）は処理の流れを模式的に示す説明図である。
第２のフィッティングモードによるフィッティングを行う際には、まず撮影制御部８１１が撮影部５０を制御して、照明装置５２により印刷指Ｕ１を照明しながら撮像装置５１により印刷指Ｕ１を撮影させる。これにより、撮影制御部８１１は、図４示すような、爪Ｔの爪画像を取得する（ステップＳ１）。爪画像が取得されると、爪情報検出部８１２により爪Ｔの形状（爪輪郭）等が検出され（ステップＳ２）、デザインフィッティング部８１３は、この爪情報から爪Ｔの縦長さｈ、横長さｗや爪Ｔの縦横比（ｈ／ｗ）の情報を取得する（ステップＳ３）。さらに、デザインフィッティング部８１３は、ネイルデザイン記憶領域８２３からネイルデザインＤの縦横比（ｈｄ／ｗｄ）を取得する（ステップＳ４）。
【００４５】
そして、第２のフィッティングモードでは、ネイルデザインＤの縦長さｈｄ又は横長さｗｄの少なくともいずれかが爪Ｔの縦長さｈ又は横長さｗに一致するまでネイルデザインＤの縦横比を変えずにネイルデザインＤのデザインデータを伸張又は圧縮していく。
具体的には、図６（ａ）に示すように、ネイルデザインＤと爪Ｔとを、ネイルデザインＤの中心点Ｄｃと爪Ｔの中心点Ｔｃとが重なる位置でフィッティングさせる（ステップＳ５）。
本実施形態では、図４に示す爪Ｔは、縦長さｈよりも横長さｗが長い横長形状であるため、ネイルデザインＤの縦横比を変えずにデザインデータを変形（本実施形態では圧縮）させていくと、先にネイルデザインｄの両側端部が爪Ｔの両側端部に対応する状態となる。
この状態までネイルデザインＤを圧縮すると、図６（ｂ）に示すように、変化後のネイルデザインＤ１は、横方向の長さｗｄ１が爪Ｔの横幅ｗと同等となり、縦方向の長さｈｄ１が爪Ｔの縦幅ｈよりも長い形状となっており、ネイルデザインＤ１の上下部分が爪Ｔの上下方向にはみ出した状態となる。
ネイルデザインＤの縦長さｈｄ又は横長さｗｄの少なくともいずれかが爪Ｔの縦長さｈ又は横長さｗに対応するまでデザインデータを変化（本実施形態では圧縮）させたら、第２のフィッティングモードによるフィッティングを終了する。
【００４６】
このようにして、第２のフィッティングモードによるフィッティングが終了すると、次にデザインフィッティング部８１３は、第１のフィッティングモードにより、爪Ｔの縦方向の長さｈ又は横方向の長さｗと対応していないネイルデザインＤの縦方向の長さｈｄ又は横方向の長さｗｄを爪Ｔに対応するように、当該ネイルデザインＤの限界変化率を超えない範囲内でデザインデータを圧縮又は伸張する。
【００４７】
具体的には、デザインフィッティング部８１３は、まず、爪Ｔの縦横比（ｈ／ｗ）がネイルデザインＤの縦横比（ｈｄ／ｗｄ）よりも大きいか否かを判断する（ステップＳ６）。
本実施形態では、爪Ｔの縦横比（ｈ／ｗ）がネイルデザインＤの縦横比（ｈｄ／ｗｄ）よりも小さい（ステップＳ６；ＮＯ）。
この場合には、デザインフィッティング部８１３は、限界変化率（ここでは圧縮する場合の限界となるため限界圧縮率。これを図５において「α」とする。）に対する限界デザイン高さｇｈｄを求める（ステップＳ７）。すなわち、限界圧縮率を０から１の間の値で表した場合、図５のステップＳ７に示すように「ｇｈｄ＝ｈｄ×α」が成立する。デザインフィッティング部８１３は、このように、デザインデータを圧縮する前のネイルデザインＤの縦長さｈｄに、どの程度まで圧縮が許されるかを示す限界圧縮率αを掛けることで、ネイルデザインＤの縦方向の長さの限界を求める。
【００４８】
そして、デザインフィッティング部８１３は、限界デザイン高さｇｈｄの範囲内であって、できるだけネイルデザインＤが爪Ｔに収まるように、段階的にデザインデータを圧縮する。
すなわち、まず、フィッティングさせるネイルデザインＤ１（図６（ｂ）参照）の高さｈｄ１を限界デザイン高さｇｈｄより小さくならない範囲で段階的に圧縮する。本実施形態では、ｈｄ１とｇｈｄの差の１/１０ずつを１回の変化量δｈｄとして（δｈｄ＝（ｈｄ１−ｇｈｄ）/１０）、この変化量δｈｄずつ圧縮して再度フィッティングを行う場合を示している（ステップＳ８）。
なお、限界デザイン高さｇｈｄの範囲内で再フィッティングする際のデザインデータの圧縮方法、圧縮間隔はこれに限定されるものではない。ｈｄ１とｇｈｄの差の１/１０よりももっと細かい圧縮間隔で再フィッティングを繰り返してもよい。また、まず比較的大きな圧縮間隔で再フィッティングを行い、所定回数これを行ったのち、より細かい圧縮間隔に切り替えて更に再フィッティングを行ってもよい。この場合には、再フィッティングを繰り返す回数を減らせるとともに、限界値付近では微細な調整を行うことができ、できる限り限界デザイン高さｇｈｄのぎりぎりでフィッティングを行うことができる。
また、デザインデータを圧縮する際の変化量は長さでなくてもよく、例えば、デザインデータを１画素ずつ圧縮するようにしてデザインデータを変化させてもよい。
【００４９】
デザインフィッティング部８１３は、圧縮後のネイルデザインＤ２の縦長さｈｄ２（図６（ｃ）参照）が限界デザイン高さｇｈｄよりも大きいか否かを常に判断し（ステップＳ９）、縦長さｈｄ２が限界デザイン高さｇｈｄよりも大きくない（すなわち限界以上に小さくなっている）場合（ステップＳ９；ＮＯ）には、そこでフィッティングを終了する。
他方、縦長さｈｄ２が限界デザイン高さｇｈｄよりも大きい場合（ステップＳ９；ＹＥＳ）には、デザインフィッティング部８１３は、さらに圧縮後のネイルデザインＤ２の縦長さｈｄ２（すなわちｈｄ１−δｈｄ）が爪Ｔの縦長さｈと同じ又はこれよりも小さいか否かを判断する（ステップＳ１０）。そして、圧縮後のネイルデザインＤ２の縦長さｈｄ２（すなわちｈｄ１−δｈｄ）が爪Ｔの縦長さｈと同じ又はこれよりも小さい場合（ステップＳ１０；ＹＥＳ）には、そこでフィッティングを終了する。また、圧縮後のネイルデザインＤ２の縦長さｈｄ２（すなわちｈｄ１−δｈｄ）が爪Ｔの縦長さｈよりも大きい場合（ステップＳ１０；ＮＯ）には、ステップＳ８に戻って、段階的にネイルデザインＤを圧縮しながら再フィッティングを繰り返す。
【００５０】
なお、爪Ｔの縦横比（ｈ／ｗ）がネイルデザインＤの縦横比（ｈｄ／ｗｄ）よりも大きい場合（ステップＳ６；ＹＥＳ）には、爪ＴがネイルデザインＤにおいて想定されているモデル爪ＭＴよりも縦長の場合である。
この場合には、デザインフィッティング部８１３は、限界変化率αに対する限界デザイン幅ｇｗｄを求める（ステップＳ１１）。上述した爪Ｔの縦横比（ｈ／ｗ）がネイルデザインＤの縦横比（ｈｄ／ｗｄ）よりも小さい場合（ステップＳ６；ＮＯ）と同様に、限界圧縮率を０から１の間の値で表した場合、図５のステップＳ１１に示すように「ｇｗｄ＝ｗｄ×α」が成立する。すなわち、デザインデータを圧縮する前のネイルデザインＤの横長さｗｄに、どの程度まで圧縮が許されるかを示す限界圧縮率αを掛けることで、ネイルデザインＤの横方向の長さの限界を求める。
【００５１】
そして、デザインフィッティング部８１３は、限界デザイン幅ｇｗｄの範囲内であって、できるだけネイルデザインＤが爪Ｔに収まるように、段階的にデザインデータを圧縮する。
ステップＳ１２からステップＳ１４に示す具体的なフィッティング処理の手法は、ネイルデザインＤの縦方向の長さのフィッティングについてステップＳ８からステップＳ１０に示した処理と同様であるため、その説明を省略する。
【００５２】
以上に対して、図７は、まず第１のフィッティングモードによるフィッティングを行った後、第２のフィッティングモードにより修正を加えていく手法によって図３に示すネイルデザインＤを爪Ｔにフィッティングする処理を示すフローチャートである。また、図８（ａ）から図８（ｃ）は処理の流れを模式的に示す説明図である。
なお、図７におけるステップＳ２１からステップＳ２４は、図５におけるステップＳ１からステップＳ４と同様であることからその説明を省略する。
【００５３】
第１のフィッティングモードでは、爪Ｔの縦横比（ｈ/ｗ）に応じてネイルデザインＤの縦横比（ｈｄ/ｗｄ）を変えるようにデザインデータＤを圧縮又は伸張していく。
具体的には、ネイルデザインＤと爪Ｔとをフィッティングさせる場合に、図８（ａ）及び図８（ｂ）に示すように、ネイルデザインＤの縦横比（ｈｄ/ｗｄ）と爪Ｔの縦横比（ｈ/ｗ）とが同等となるように合せ込む（ステップＳ２５）。
本実施形態では、図８（ａ）から図８（ｃ）に示す爪Ｔは、横長さｗよりも縦長さｈが長い縦長形状であるため、ネイルデザインＤを圧縮して爪Ｔに合せ込むと、フィッティング後のネイルデザインＤ３は、図８（ｂ）に示すように、横方向の長さｗｄ３が爪Ｔの横幅ｗと同等となり、縦方向の長さｈｄ１も爪Ｔの縦幅ｈと同等となって、爪Ｔの外周に接する外接枠とほぼ重なり合った状態となる。
このようにして、第１のフィッティングモードによるフィッティングが終了すると、次にデザインフィッティング部８１３は、デザインデータの圧縮又は伸張後のネイルデザインＤ３の縦方向の長さｈｄ３又は横方向の長さｗｄ３が当該ネイルデザインＤの限界変化率αを超えている場合に、限界変化率αを超えない範囲内に再調整する。
【００５４】
具体的には、デザインフィッティング部８１３は、まず、爪Ｔの縦横比（ｈ／ｗ）がネイルデザインＤの縦横比（ｈｄ／ｗｄ）よりも大きいか否かを判断する（ステップＳ２６）。
本実施形態では、爪Ｔの縦横比（ｈ／ｗ）がネイルデザインＤの縦横比（ｈｄ／ｗｄ）よりも大きい（ステップＳ２６；ＹＥＳ）。
この場合には、デザインフィッティング部８１３は、ネイルデザインＤの限界変化率（ここでは圧縮する場合の限界となるため限界圧縮率。これを図７において「α」とする。）から、ネイルデザインＤの縦方向の長さｈｄが爪Ｔの縦方向の長さｈと同等であるときの限界デザイン幅ｇｗｄを取得する（ステップＳ２７）。
【００５５】
そして、デザインフィッティング部８１３は、爪Ｔの横方向の長さｗが限界デザイン幅ｇｗｄと同じ又はこれよりも大きいか否かを判断する（ステップＳ２８）。そして、爪Ｔの横方向の長さｗが限界デザイン幅ｇｗｄと同じ又はこれよりも大きい場合（ステップＳ２８；ＹＥＳ）には、現状のネイルデザインＤ３（図８（ｂ）参照）の横方向の長さｗｄ３が限界変化率αの範囲内に収まっているため、フィッティング処理を終了する。
他方、爪Ｔの横方向の長さｗが限界デザイン幅ｇｗｄよりも小さい場合（ステップＳ２８；ＮＯ）には、現状のネイルデザインＤ３（図８（ｂ）参照）の横方向の長さｗｄ３が限界変化率αの範囲を超えて圧縮され過ぎている状態となっている。このため、この場合には、図８（ｃ）に示すように、デザインフィッティング部８１３は、第２のフィッティングモードを適用し、ネイルデザインＤ４の横方向の長さｗｄ４を限界デザイン幅ｇｗｄまで伸張して、ネイルデザインＤ４と爪Ｔとを、ネイルデザインＤ４の中心点Ｄｃと爪Ｔの中心点Ｔｃとが重なる位置で再フィッティングさせる（ステップＳ２９）。
【００５６】
なお、爪Ｔの縦横比（ｈ／ｗ）がネイルデザインＤの縦横比（ｈｄ／ｗｄ）よりも小さい場合（ステップＳ２６；ＮＯ）には、爪ＴがネイルデザインＤにおいて想定されているモデル爪ＭＴよりも横長の場合である。
この場合には、デザインフィッティング部８１３は、上述した爪Ｔの縦横比（ｈ／ｗ）がネイルデザインＤの縦横比（ｈｄ／ｗｄ）よりも大きい場合（ステップＳ２６；ＹＥＳ）と同様に、ネイルデザインＤの限界変化率αから、ネイルデザインＤの横方向の長さｗｄが爪Ｔの横方向の長さｗと同等であるときの限界デザイン高さｇｈｄを取得する（ステップＳ３０）。
【００５７】
そして、デザインフィッティング部８１３は、デザインデータの圧縮又は伸張後のネイルデザインＤ３の縦方向の長さｈｄ３又は横方向の長さｗｄ３が当該ネイルデザインＤの限界変化率αを超えている場合に、限界変化率αを超えない範囲内に再調整する。
ステップＳ３１及びステップＳ３２に示す具体的なフィッティング処理の手法は、ネイルデザインＤの横方向の長さのフィッティングについてステップＳ２８及びステップＳ２９に示した処理と同様であるため、その説明を省略する。
【００５８】
なお、デザインフィッティング部８１３が、図５及び図６（ａ）から図６（ｃ）に示した手法によってフィッティングを行うか、図７及び図８（ａ）から図８（ｃ）に示した手法によってフィッティングを行うかは、いずれを優先的に行うかがデフォルトで定められていてもよいし、ユーザが選択してもよい。また、爪ＴとネイルデザインＤの縦横比等に基づいていずれの手法を用いるかをデザインフィッティング部８１３において判断してもよい。
【００５９】
デザインフィッティング部８１３によりネイルデザインＤの爪Ｔへのフィッティングが完了すると、描画データ生成部８１４が、当該フィッティング結果に基づいて描画用のデータを生成し、描画制御部８１５は描画データ生成部８１４によって生成された描画用のデータに基づいて描画部４０を制御してネイルデザインＤを爪Ｔに描画する。
【００６０】
なお、デザインフィッティング部８１３によるフィッティング結果は、表示部２６等に表示されて、ユーザに確認を求めるようにしてもよい。
この場合には、ユーザは、フィッティング結果をそのまま承認してもよいし、タッチパネル等から入力することで、爪Ｔ上におけるネイルデザインＤの縦方向・横方向における位置や大きさ等をさらに微調整することができてもよい。また、ユーザが調整した内容をキャンセルして、デザインフィッティング部８１３による自動のフィッティング結果の状態まで戻すことができる操作ボタン等を用意してもよい。このようにすることで、ユーザが調整を失敗した場合にも容易に自動的に行われたフィッティング状態まで戻すことができる。
また、フィッティング結果は記憶部８２等に記憶されるようにしてもよい。フィッティング結果をユーザや爪Ｔの情報と対応付けて記憶させておくことにより、次回以降同じユーザが同じネイルデザインＤを爪Ｔに描画しようとしたときには、記憶されているフィッティング結果を読み出して適用することで、爪ＴにフィットしたネイルデザインＤを、迅速に描画することが可能となる。
【００６１】
以上のように、本実施形態によれば、爪Ｔの縦横比を取得するとともに、爪Ｔの縦横比に応じてネイルデザインＤの縦横比を変えるようにデザインデータを圧縮又は伸張する第１のフィッティングモードと、ネイルデザインＤの縦横比を変えずにデザインデータを伸張又は圧縮する第２のフィッティングモードとを併用して、爪Ｔに描画するネイルデザインＤのデザインデータを変形させてネイルデザインＤを爪Ｔにフィッティングさせる。
このため、標準的な爪とは異なる縦横比を有する爪Ｔ（例えば極端に縦長な爪や横に幅広い爪等）に対しても、ネイルデザインＤの印象をできるだけ変えずに、ユーザのイメージに近い状態で描画することができる。
また、本実施形態のデザインデータには、それぞれ当該ネイルデザインＤの縦方向及び横方向のそれぞれについて変化させることのできる限界を規定する限界変化率αが予め設定されている。
このため、ネイルデザインＤを爪Ｔに合せ込むために縦方向や横方向に圧縮又は伸張した場合でも、そうしたネイルデザインＤの形状変化をデザイン全体の印象が変化したりバランスが崩れたりしない範囲内にとどめ、できるだけユーザのイメージ通りのデザインを適切に爪Ｔの上に再現させることができる。
また、デザインフィッティング部８１３は、第２のフィッティングモードにより、ネイルデザインの縦方向の長さ又は横方向の長さの少なくともいずれかが爪の縦方向の長さ又は横方向の長さに対応するまでデザインデータを伸張又は圧縮し、次に、第１のフィッティングモードにより、爪の縦方向の長さ又は横方向の長さと対応していないネイルデザインの縦方向の長さ又は横方向の長さを爪に対応するように、当該ネイルデザインの限界変化率を超えない範囲内でデザインデータを圧縮又は伸張するという手法でフィッティングを行うことができる。
このため、ネイルデザインが大きく変形したり、印象が変わってしまうのを極力防いで、もともとのネイルデザインＤの印象に近いデザインを爪Ｔに描画することができる。
さらに、デザインフィッティング部８１３は、第１のフィッティングモードにより、ネイルデザインの縦方向の長さ又は横方向の長さが爪の縦方向の長さ又は横方向の長さに対応するまでデザインデータを圧縮又は伸張し、次に、デザインデータの圧縮又は伸張後のネイルデザインの縦方向の長さ又は横方向の長さが当該ネイルデザインの限界変化率を超えている場合に、限界変化率を超えない範囲内に再調整するという手法でフィッティングを行うことができる。
このため、例えば、爪Ｔの形状（縦横比）が比較的標準的な爪Ｔに近い場合等、ネイルデザインＤを合わせ込んだ際に、縦方向の長さ又は横方向の長さともに当該ネイルデザインの限界変化率を超えていないときは、一度のフィッティングで爪Ｔへの合せ込み処理を完了させることができ、簡易・迅速なフィッティングが可能となる。
【００６２】
なお、以上本発明の実施形態について説明したが、本発明は、かかる実施形態に限定されず、その要旨を逸脱しない範囲で、種々変形が可能であることは言うまでもない。
【００６３】
例えば、本実施形態では、ネイルデザインＤが共通のモデル爪ＭＴに基づいてサイズ設定されている場合について説明したが、ネイルデザインＤは共通のモデル爪ＭＴに基づくものに限定されない。
例えば、標準的なモデル爪ＭＴに基づくネイルデザインＤの他、縦長の爪に対応したネイルデザインや、横長の爪に対応したネイルデザインがそれぞれ用意されていてもよい。
この場合、爪情報検出部８１２によって検出された爪情報から取得された爪Ｔの縦横比により、爪Ｔが縦長、横長の爪であることが把握された場合には、当該爪の形状に合うネイルデザインが描画候補として優先的に表示部２６等に表示されるようにしてもよい。
この場合には、フィッティングにおけるネイルデザインＤの変形も最小限度で済み、よりユーザのイメージ通りのネイルデザインを迅速に爪Ｔに描画することができる。
【００６４】
また、本実施形態のデザインフィッティング部８１３は、まず第２のフィッティングモードによるフィッティングを行った後、第１のフィッティングモードにより修正を加えていく手法と、これとは逆に、第１のフィッティングモードによるフィッティングを行った後、第２のフィッティングモードにより修正を加えていく手法という２種類の手法を行うことができるものとしたが、デザインフィッティング部８１３はこれらのうちいずれか一方のみを行うものであってもよい。
いずれか一方の手法でも、各種の形状の爪Ｔに対応したネイルデザインＤのフィッティングを行うことができる。
【００６５】
また、本実施形態では、ネイルデザインの画像データが装置内の記憶部８２に記憶されている場合を例示したが、ネイルデザインの画像データは、例えばインターネット等を介して外部装置から取得してもよい。
【００６６】
また、本実施形態では、描画ヘッド４１がインクジェット方式のものである場合を例示して説明したが、描画ヘッドはこれに限定されず、例えば、描画用のペンがペンホルダ等に保持されたものであってもよい。
さらに、インクジェット方式の描画ヘッドと、ペン等の描画用具とを両方備え、例えば、下地のべた塗り等であればペンを用い、細かい絵柄部分はインクジェット方式の描画ヘッドを用いるというように、描画するデザインや用途等に応じてインクジェット方式の描画ヘッドとペン等の描画用具とを使い分けて描画を行うものであってもよい。
【００６７】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
描画対象である爪の領域の縦横比を取得する爪情報検出部と、
前記爪の領域の縦横比に応じてネイルデザインの縦横比を変えて前記ネイルデザインを前記爪の領域にフィッティングさせる第１のフィッティングモードを有し、前記第１のフィッティングモードにおいて、前記ネイルデザインの前記縦横比の変化率を、前記ネイルデザインに対して設定されている限界変化率を越えない範囲の値にするデザインフィッティング部と、
を備えることを特徴とする描画装置。
＜請求項２＞
前記デザインフィッティング部は、
前記第１のフィッティングモードにおいて、前記ネイルデザインを、前記ネイルデザインの縦横比を前記爪の縦横比に合わせるように変化させて、前記ネイルデザインの縦方向の長さが前記爪の領域の縦方向の長さに一致し、前記ネイルデザインの横方向の長さが前記爪の領域の横方向の長さに一致するように変形させた後、前記ネイルデザインの縦方向及び横方向の前記一方を、前記変化率が前記限界変化率を越えない範囲の値となるように圧縮又は伸張することを特徴とする請求項１に記載の描画装置。
＜請求項３＞
前記デザインフィッティング部は、
前記ネイルデザインの縦横比を変えずに前記ネイルデザインの大きさを変化させる第２のフィッティングモードを有し、
前記第２のフィッティングモードにより、前記ネイルデザインを、前記爪の領域の縦横比に応じて、前記ネイルデザインの縦方向及び横方向の他方の長さが前記爪の領域の縦方向及び横方向の他方の長さに一致するように変形させた後、前記第１のフィッティングモードにより、前記ネイルデザインの縦方向及び横方向の前記一方を、前記変化率が前記限界変化率を越えない範囲の値で圧縮又は伸張することを特徴とする請求項１に記載の描画装置。
＜請求項４＞
描画対象である爪の領域の縦横比を取得する爪領域取得ステップと、
前記爪の領域の縦横比に応じてネイルデザインの縦横比を変えて前記ネイルデザインを前記爪の領域にフィッティングさせる第１のフィッティングモードを有し、前記第１のフィッティングステップにおいて、前記ネイルデザインの前記縦横比の変化率を、前記ネイルデザインに対して設定されている限界変化率を越えない範囲の値にするデザインフィッティングステップと、
を含むことを特徴とする描画方法。
＜請求項５＞
前記デザインフィッティングステップは、
前記第１のフィッティングモードにおいて、
前記ネイルデザインを、前記ネイルデザインの縦横比を前記爪の縦横比に合わせるように変化させて、前記ネイルデザインの縦方向の長さが前記爪の領域の縦方向の長さに一致し、前記ネイルデザインの横方向の長さが前記爪の領域の横方向の長さに一致するように変形させる第１変形ステップと、
前記第１変形ステップを実行した後に、前記ネイルデザインの縦方向及び横方向の前記一方を、前記変化率が前記限界変化率を越えない範囲の値となるように圧縮又は伸張する第２変形ステップと、
を含むことを特徴とする請求項４に記載の描画方法。
＜請求項６＞
前記デザインフィッティングステップにおける前記フィッティングは、前記ネイルデザインの縦横比を変えずに前記ネイルデザインの大きさを変形させる第２のフィッティングモードを有し、
前記デザインフィッティングステップは、
前記第２のフィッティングモードにより、前記ネイルデザインを、前記爪の領域の縦横比に応じて、前記ネイルデザインの縦方向及び横方向の他方の長さが前記爪の領域の縦方向及び横方向の他方の長さに一致するように変形させる第３変形ステップと、
前記第３変形ステップを実行した後に、前記第１のフィッティングモードにより、前記ネイルデザインの縦方向及び横方向の前記一方を、前記変化率が前記限界変化率を越えない範囲の値で圧縮又は伸張する第４変形ステップと、
を含むことを特徴とする請求項４に記載の描画方法。
【符号の説明】
【００６８】
１        ネイルプリント装置
４０      描画部
４１      描画ヘッド
５０      撮影部
８１      制御部
８２      記憶部
８１２    爪情報検出部
８１３    デザインフィッティング部
Ｔ        爪
Ｕ１      印刷指
【図１】
2018153525.tif 000003
【図２】
2018153525.tif 000004
【図３】
2018153525.tif 000005
【図４】
2018153525.tif 000006
【図５】
2018153525.tif 000007
【図６】
2018153525.tif 000008
【図７】
2018153525.tif 000009
【図８】
2018153525.tif 000010